(57)【要約】【課題】電子マネー端末装置が複数種類の非接触式ＩＣカードを検出した場合であっても、取引を行うことができる電子マネーシステムを提供する。【解決手段】非接触式管理サーバ５に、複数種類の非接触式ＩＣカードを１個のグループとして記憶すると共に、各々のグループにおいて、特定の１枚の非接触式ＩＣカードには優先カードであることを示す情報を付与した状態で記憶する記憶部１８を設け、電子マネー端末装置２が、複数種類の非接触式ＩＣカードを同時に検出した時に、該同時に検出した非接触式ＩＣカードと同じ組み合わせの非接触式ＩＣカードが非接触式管理サーバ５の記憶部１８に記憶されている場合、電子マネー端末装置２は、非接触式管理サーバ５の記憶部１８に記憶されている優先カードを示す情報に従って、非接触式ＩＣカードを選択し、該非接触式ＩＣカードと取引を行う。【選択図】図１
2008158835.tif 000002
【特許請求の範囲】
【請求項１】
非接触式ＩＣカードとの間で電子マネーを利用した取引を行う電子マネー端末装置と、該電子マネー端末装置に接続された管理サーバとから構成される電子マネーシステムにおいて、
前記管理サーバには、複数種類の非接触式ＩＣカードを１個のグループとして記憶すると共に、各々のグループにおいて、特定の１枚の非接触式ＩＣカードには優先カードであることを示す情報を付与した状態で記憶する記憶部が設けられ、
前記電子マネー端末装置が、複数種類の非接触式ＩＣカードを同時に検出した時に、該同時に検出した非接触式ＩＣカードと同じ組み合わせの非接触式ＩＣカードが前記管理サーバの前記記憶部に記憶されている場合、前記電子マネー端末装置は、前記管理サーバの前記記憶部に記憶されている優先カードを示す情報に従って、前記同時に検出した複数の非接触式ＩＣカードの中から優先カードに該当する非接触式ＩＣカードを選択し、該非接触式ＩＣカードと取引を行うことを特徴とする電子マネーシステム。
【請求項２】
前記電子マネー端末装置には、複数種類の非接触式ＩＣカードの中から優先カードを指定する情報が入力される優先カード情報入力部が設けられ、
前記電子マネー端末装置が、複数種類の非接触式ＩＣカードを同時に検出した時に、該同時に検出した非接触式ＩＣカードと同じ組み合わせの非接触式ＩＣカードの組み合わせが前記管理サーバの前記記憶部に記憶されていない場合には、前記電子マネー端末装置は、前記優先カード情報入力部からの優先カードを指定する情報を受け、前記同時に検出した複数の非接触式ＩＣカードの中から取引を行う優先カードを選択する請求項１記載の電子マネーシステム。
【請求項３】
前記電子マネー端末装置は、前記優先カードに指定された非接触式ＩＣカードに格納されている電子マネーの金額が、取引金額未満である場合、前記優先カードの指定に関わらず、前記同時に検出した非接触式ＩＣカードの中から残高が取引金額以上の非接触式ＩＣカードを選択し、該非接触式ＩＣカードから取引金額分の電子マネーを減額する請求項１、又は請求項２記載の電子マネーシステム。
【請求項４】
前記電子マネー端末装置は、前記同時に検出した非接触式ＩＣカードの中に残高が取引金額以上のカードが存在しない場合には、前記同時に検出した複数の非接触式ＩＣカード間で残高を移行し、いずれかの非接触式ＩＣカードの残高を取引金額以上とし、該非接触式ＩＣカードから取引金額分の電子マネーを減額する請求項３記載の電子マネーシステム。
【請求項５】
非接触式ＩＣカードとの間で電子マネーを利用した取引を行う電子マネー端末装置と、該電子マネー端末装置に接続された管理サーバとから構成される電子マネーシステムにおいて、
前記管理サーバには、複数種類の非接触式ＩＣカードを１個のグループとして記憶すると共に、各々のグループには、複数種類の非接触式ＩＣカードの中から取引を行う特定の１枚の非接触式ＩＣカードを選択するためのパラメータを合わせて記憶する記憶部が設けられ、
前記電子マネー端末装置が、複数種類の非接触式ＩＣカードを同時に検出した時に、該同時に検出した非接触式ＩＣカードと同じ組み合わせの非接触式ＩＣカードが前記管理サーバの前記記憶部に記憶されている場合、前記電子マネー端末装置は、前記同時に検出した非接触式ＩＣカードと同じ組み合わせの非接触式ＩＣカードと共に記憶されているパラメータに従って、取引を行う非接触式ＩＣカードを選択し、該非接触式ＩＣカードと取引を行うことを特徴とする電子マネーシステム。
【請求項６】
前記電子マネー端末装置には、前記パラメータの入力が行われるパラメータ情報入力部が設けられ、
前記電子マネー端末装置が、複数種類の非接触式ＩＣカードを同時に検出した時に、該同時に検出した非接触式ＩＣカードと同じ組み合わせの非接触式ＩＣカードの組み合わせが前記管理サーバに記憶されていない場合には、前記電子マネー端末装置は、前記パラメータ情報入力部からのパラメータを指定する情報を受け、該パラメータに従って、前記同時に検出した複数の非接触式ＩＣカードの中から取引を行う非接触式ＩＣカードを選択する請求項５記載の電子マネーシステム。
【請求項７】
前記電子マネー端末装置は、前記優先カードに指定された非接触式ＩＣカードに格納されている電子マネーの金額が、取引金額未満である場合、前記パラメータに関わらず、前記同時に検出した非接触式ＩＣカードの中から残高が取引金額以上の非接触式ＩＣカードを選択し、該非接触式ＩＣカードから取引金額分の電子マネーを減額する請求項５、又は請求項６記載の電子マネーシステム。
【請求項８】
前記電子マネー端末装置は、前記同時に検出した非接触式ＩＣカードの中に残高が取引金額以上のカードが存在しない場合には、前記同時に検出した複数の非接触式ＩＣカード間で残高を移行し、いずれかの非接触式ＩＣカードの残高を取引金額以上とし、該非接触式ＩＣカードから取引金額分の電子マネーを減額する請求項７記載の電子マネーシステム。
【発明の詳細な説明】
【技術分野】
【０００１】
本発明は、非接触式ＩＣカードとの間で電子マネーを利用した取引を行う電子マネー端末装置と、該電子マネー端末装置に接続された管理サーバとから構成される電子マネーシステムに関するものである。
【背景技術】
【０００２】
近年、ＩＣカードを用いた電子マネーの流通が活発になってきている。電子マネーはクレジットカードでは困難な小額支払いにも対応することができ、現金の取り扱いの不便さや現金を持ち歩くリスクを軽減することができる仕組みとして注目されている。
【０００３】
ＩＣカードを用いたプリペイド型の電子マネーでは、ユーザが保有するＩＣカードに予め所定額の電子マネーを記録しておき、これを店舗等で利用することができるようになっている。なお、ＩＣカードには専用の電子マネー補充装置に使用者が現金を投入することによって、その現金に対応する金銭的価値の電子マネーが補充される。
【０００４】
また、ＩＣカードには接触型のものと非接触型のものが存在し、主に非接触型のものが使用されている。非接触型のＩＣカードには非接触ＩＣチップに接続するアンテナが内蔵されており、ＩＣカードはこのアンテナを介して電子マネー端末装置と近距離の無線通信を行うことができる。そして無線通信により電子マネーがＩＣカードから電子マネー端末装置に送信される。また、ＩＣカードを駆動するための電力も電子マネー端末装置から無線により送信される。
【０００５】
そして例えば上記非接触型のＩＣカードを利用して千円分の商品を購入する場合、ＩＣカード使用者は予め千円以上の金額が補充されている非接触型ＩＣカードが入っている状態のパスケースを電子マネー端末装置にかざす。すると、電子マネー端末装置はＩＣカードから千円分の電子マネーを減額し、ＩＣカードには千円減額された新たな残高が記憶され、電子マネー端末装置には、千円分の電子マネーが記憶される。これにより、ＩＣカードを使用することで現金が無くても商品の購入をすることができる。
【０００６】
このように、従来、利用者の購入した商品の金額が電子マネー取引装置本体に設けられている入力部から入力され、本体のアンテナ部に非接触式ＩＣカードがかざされると、本体と非接触式ＩＣカードとの間でデータ授受が行われ、カード残額から今回の利用額が本体側に記憶されるとともに、非接触式ＩＣカードには新たな残額が記憶される電子マネー取引装置がある（例えば、特許文献１参照。）。
【０００７】
【特許文献１】特開２０００−１４９０７２号公報
【発明の開示】
【発明が解決しようとする課題】
【０００８】
今後、電子マネーの普及に伴い、複数種類（規格）の非接触式のＩＣカードを所有する人が増加し、複数種類（規格）の非接触式ＩＣカードでの取引（決済）を可能とした電子マネー端末装置が現れると予想される。
【０００９】
しかしながら、複数種類の非接触式ＩＣカードが入っている状態のパスケース等を電子マネー端末装置にかざしても、電子マネー端末装置側では全ての非接触式ＩＣカードを検出してしまい、いずれの非接触型ＩＣカードと取引を行えばよいのか認識することができず、その結果、取引を行うことができないという問題点があった。
【課題を解決するための手段】
【００１０】
上記課題を解決するために本発明で設けた解決手段は、非接触式ＩＣカードとの間で電子マネーを利用した取引を行う電子マネー端末装置と、該電子マネー端末装置に接続された管理サーバとから構成される電子マネーシステムにおいて、前記管理サーバには、複数種類の非接触式ＩＣカードを１個のグループとして記憶すると共に、各々のグループにおいて、特定の１枚の非接触式ＩＣカードには優先カードであることを示す情報を付与した状態で記憶する記憶部が設けられ、前記電子マネー端末装置が、複数種類の非接触式ＩＣカードを同時に検出した時に、該同時に検出した非接触式ＩＣカードと同じ組み合わせの非接触式ＩＣカードが前記管理サーバの前記記憶部に記憶されている場合、前記電子マネー端末装置は、前記管理サーバの前記記憶部に記憶されている優先カードを示す情報に従って、前記同時に検出した複数の非接触式ＩＣカードの中から優先カードに該当する非接触式ＩＣカードを選択し、該非接触式ＩＣカードと取引を行うものである。
【発明の効果】
【００１１】
本発明によれば、電子マネー端末装置が、複数種類の非接触式ＩＣカードを同時に検出した時に、同時に検出した非接触式ＩＣカードと同じ組み合わせの非接触式ＩＣカードが管理サーバの記憶部に記憶されている場合、電子マネー端末装置は、管理サーバの記憶部に記憶されている優先カードを示す情報に従って、同時に検出した複数の非接触式ＩＣカードの中から優先カードに該当する非接触式ＩＣカードを選択し、該非接触式ＩＣカードと取引を行うことにより、管理サーバに同一グループとして登録されている非接触式ＩＣカードの組み合わせと同一組み合わせの非接触式ＩＣカードを電子マネー端末装置が検出した時に、優先カードであることを示す情報に基づいて使用するカードを電子マネー端末装置側で自動的に選択するようになる。このように、電子マネー端末装置が複数種類の非接触式ＩＣカードを検出した場合であっても、電子マネー端末装置はいずれのカードと取引を行えば良いのか分かる。その結果、取引を行うことができ、また使用者がカードを選択する煩わしさを解消することができる。更に、使用者が使用するカードを選択する必要が無いので、取引時間を短縮することができる。
【発明を実施するための最良の形態】
【００１２】
以下、本発明の実施例を図面に従って説明する。なお、各図面に共通する要素には同一の符号を付す。
【実施例１】
【００１３】
図１は実施例１の電子マネーシステムの構成を示す説明図、図２は実施例１の電子マネー端末装置の構成を示すブロック図である。
【００１４】
図１において、電子マネーシステム１は、電子マネー端末装置２と、非接触式ＩＣカードを発行し、管理する電子マネー管理会社（ここでは、電子マネー管理会社Ａ３、電子マネー管理会社Ｂ４の２社とする）と、発行会社にかかわらず、予め登録されている会社から発行された非接触式ＩＣカードを管理する非接触式ＩＣカード管理サーバ（以下管理サーバーとする）５とから構成されており、電子マネー端末装置２と、電子マネー管理会社Ａ３と、電子マネー管理会社Ｂ４と、管理サーバー５はそれぞれネットワーク６で接続されている。
【００１５】
なお、管理サーバ５には、電子マネー端末装置２から送信されてくる情報を記憶する記憶部１８が設けられており、記憶部１８は、複数種類の非接触式ＩＣカードのＩＤ番号を１個のグループとして記憶すると共に、各々のグループにおいて、特定の１枚の非接触式ＩＣカードのＩＤ番号には優先カードであることを示す情報を付与した状態で記憶する。
【００１６】
また、電子マネー管理会社Ａ３には、該電子マネー管理会社Ａ３で発行したＡ社カード７に格納されている電子マネーを管理する電子マネー管理サーバ１６が設けられ、電子マネー管理会社Ｂ４には、該電子マネー管理会社Ｂ４で発行したＢ社カード８に格納されている電子マネーを管理する電子マネー管理サーバ１７が設けられている。
【００１７】
電子マネー端末装置２は、電子マネー管理会社Ａにより発行された、非接触式ＩＣカードであるＡ社カード７、あるいは電子マネー管理会社Ｂにより発行された、非接触式ＩＣカードであるＢ社カード８のように複数種類（規格）の非接触式ＩＣカードでの取引（決済）が可能となっている。なお、Ａ社カード７、及びＢ社カード８は図示せぬ記憶部を備えており、該記憶部には、専用の電子マネー補充装置にユーザが現金を投入することによって、その現金に対応する金銭的価値の電子マネーが記憶される。
【００１８】
次に電子マネー端末装置２の構成を説明する。図２において、電子マネー端末装置２は電子マネー端末装置２を操作するオペレータ、及び非接触式ＩＣカードを使用する使用者に知らせる情報を表示する表示部９と、複数種類（規格）の非接触式ＩＣカードとの間で交信を行い、非接触式ＩＣカードへの情報の送信、及び非接触式ＩＣカードからの情報の受信を行うカード読み書き部１０と、タッチパネル式のディスプレイ、あるいはキーボード等から構成され、装置に対する情報の入力が行われる、優先カード情報入力部、及びパラメータ情報入力部である入力部１１と、カードの認証を行うカード認証部１２と、非接触式ＩＣカードに対して送信する情報、あるいは非接触式ＩＣカードから受信した情報等を記憶する記憶部１３と、ネットワーク６を介して外部との通信を行う通信制御部１４と、電子マネー端末装置２全体の動作を制御する演算処理部１５とから構成されている。
【００１９】
次に上記構成における電子マネーシステム１の取引動作について図１、図２、図３、図４を参照し、図５、図６、図７に示すフローチャートに従って説明する。図３、図４は実施例１の電子マネー端末装置の入力画面を示す説明図、図５、図６、図７は実施例１の電子マネーシステムの取引動作を示すフローチャートである。
【００２０】
図１、図２において、使用者が複数の非接触式ＩＣカード（今回はＡ社カード７、及びＢ社カード８）が入っている状態のパスケースを電子マネー端末装置２のカード読み書き部１０にかざす。すると、カード読み書き部１０はＡ社カード７のＩＤ番号、及びＢ社カード８のＩＤ番号を検出し、それぞれのカードのＩＤ番号を演算処理部１５に送信する。演算処理部１５はカード読み書き部１０からＡ社カード７とＢ社カード８のＩＤ番号を受信すると、図５に示すフローチャートを開始する。
【００２１】
ステップＳ１で演算処理部１５はカード読み書き部１０から送信されてくる情報に基づいて、カード読み書き部１０が２種類以上の非接触式ＩＣカードを検出したか否かを判断する。今回はカード読み書き部１０から２種類のカードのＩＤ番号を受信することになるので、２種類以上の非接触式ＩＣカードを検出したとしてステップＳ２へと進む。そして演算処理部１５はＩＤ番号を受信すると１個のグループとして記憶部１３に記憶する。なお、演算処理部１５がカード読み書き部１０から受信したカードのＩＤ番号が１種類のみの場合は、１種類の非接触式ＩＣカードを検出したと判断し、ステップＳ１からステップＳ１２へと進む。そしてステップＳ１２で検出したカードのカード認証を行い、続いてステップＳ１３で検出したカードから取引金額分の電子マネーを減額する、支払い処理を行う。そして処理を終了とする。なお、この支払い処理が行われることにより、非接触式ＩＣカードの図示せぬ記憶部には、取引金額分が減額された新たな残高が記憶される。一方、電子マネー端末装置２の記憶部１３には取引金額分の電子マネーがカード発行会社の情報と共に記憶される。
【００２２】
ステップＳ１からステップＳ２へと進んだ場合には、演算処理部１５は優先カードが登録されているか否かの問い合わせと、カード読み書き部１０から受信したカードのＩＤ番号を通信制御部１４、及びネットワーク６を介して管理サーバ５に対して送信する。そしてステップＳ３へと進み、管理サーバ５からの回答を待つ状態へと移行する。
【００２３】
管理サーバ５は電子マネー端末装置２からカードのＩＤ番号と、優先カードが登録されているか否かの問い合わせを受信すると、図５に示すフローチャートを開始する。そしてステップＳ１０１で記憶部１８に記憶されているそれぞれのグループに、今回受信した２種類のＩＤ番号の組み合わせと同一のＩＤ番号の組み合わせのグループが存在するか否かを調べる。そしてステップＳ１０２へと進み、同じ組み合わせのＩＤ番号のグループが登録されていると判断すると、ステップＳ１０３へと進む。そしてそのグループにおいて優先カードの情報が付与されている非接触式ＩＣカードのＩＤ番号を読み出し、電子マネー端末装置２に送信する。そして処理を終了とする。一方、ステップＳ１０２において、記憶部１８にＩＤ番号が同一のグループが存在しないと判断した場合には、ステップＳ１０４へと進み、優先カードの登録が行われていないことを示す情報を電子マネー端末装置２に送信する。そして処理を終了とする。
【００２４】
電子マネー端末装置２の演算処理部１５はネットワーク６、及び通信制御部１４を介して管理サーバ５からの回答を受信するとステップＳ３からステップＳ４へと進む。ここで管理サーバ５から優先カードのＩＤ番号を受信した場合にはステップＳ１２へと進み、一方、優先カードの登録が行われていないことを示す情報を受信した場合にはステップＳ５へと進む。
【００２５】
ステップＳ４からステップＳ５へと進んだ場合には、演算処理部１５は記憶部１３に記憶してあるＩＤ番号を読み出し、該ＩＤ番号からカード名（Ａ社カード、及びＢ社カード）を認識し、カード選択画面を表示させる指示と、カード名を示す情報を入力部１１に送信する。入力部１１は指示とカード名を受信すると、図３に示すようにＡ社カード７、あるいはＢ社カード８のいずれかを選択させる画面を表示する。
【００２６】
そしてステップＳ６へと進み、演算処理部１５は入力部１１から情報が送信されてくるのを待つ状態へと移行する。使用者がカードを選択してＡ社カードボタン１９、あるいはＢ社カードボタン２０のいずれかに触れると、入力部１１からＡ社カード、あるいはＢ社カードのいずれかを示す情報が演算処理部１５に対して送信される。演算処理部１５はいずれかのカードを示す情報を受信すると、ステップＳ６からステップＳ７へと進み、受信した情報から優先カードと指定されたカードを認識し、Ａ社カード７、あるいはＢ社カード８のいずれかのカードのＩＤ番号に優先カードを示す情報を付与して、選択されなかったもう一方のカードのＩＤ番号と共に１個のグループとして記憶部１３に記憶する。なお、今回はＡ社カード７が選択されたものとする。これにより、記憶部１３には、優先カードであることを示す情報が付与されたＡ社カード７を示すＩＤ番号と、Ｂ社カード８を示すＩＤ番号が同一グループとして記憶される。
【００２７】
そして演算処理部１５は今回選択したＡ社カードのカード名を示す情報と、Ａ社カードを優先カードとして登録するか否かを問い合わせる画面を表示させる指示を入力部１１に送信する。入力部１１はカード名と指示を受信すると、図４に示すようにＡ社カード７を優先カードとして登録するか否かを選択させる画面を表示する。
【００２８】
そしてステップＳ８へと進み、演算処理部１５は入力部１１から情報が送信されてくるのを待つ状態へと移行する。ここで、使用者が登録することを示すボタン２１、あるいは登録しないことを示すボタン２２のいずれかに触れると、表示部９から「登録する」、あるいは「登録しない」のいずれかを示す情報が演算処理部１５に対して送信される。演算処理部１５は表示部９から「登録する」を示す情報を受信すると、ステップＳ８からステップＳ９へと進み、一方「登録しない」を示す情報を受信するとステップＳ１２へと進む。
【００２９】
ここで使用者が優先カードの登録を希望し、登録することを示すボタン２１に触れ、ステップＳ８からステップＳ９へと進んだ場合、演算処理部１５は記憶部１３から、優先カードであることを示す情報が付与されたＡ社カード７を示すＩＤ番号と、Ｂ社カード８を示すＩＤ番号を読み出し、該情報と優先カードとして登録することを示す情報を、通信制御部１４、及びネットワーク６を介して管理サーバ５に対して送信する。そしてステップＳ１０へと進み、管理サーバ５からの回答を待つ状態へと移行する。
【００３０】
管理サーバ５は電子マネー端末装置２から優先カードであることを示す情報が付与されたＡ社カード７を示すＩＤ番号と、Ｂ社カード８を示すＩＤ番号と、優先カードとして登録することを示す情報を受信すると、図６に示すフローチャートを開始する。そしてステップＳ１１１で優先カードであることを示す情報を付与したＡ社カード７を示すＩＤ番号と、Ｂ社カード８を示すＩＤ番号の組み合わせで１個のグループを作り、記憶部１８に記憶する。そしてステップＳ１１２で優先カードに登録したカードのＩＤ番号と、優先カードの登録が行われたことを示す情報を電子マネー端末装置２に送信する。
【００３１】
電子マネー端末装置２の演算処理部１５はネットワーク６、及び通信制御部１４を介して管理サーバ５から、優先カードに登録したカードのＩＤ番号と、優先カードの登録が行われたことを示す情報を受信すると、ステップＳ１０からステップＳ１１へと進む。そして演算処理部１５は優先カードのＩＤ番号からカード名（Ａ社カード７）を認識し、該カード名を示す情報と、優先カードとして登録されたことを表示する指示を表示部９に送信する。表示部９はカード名と指示を受信すると、Ａ社カード７のカード名と、該Ａ社カード７が優先カードに登録されたことを示す情報を表示する。これにより、使用者にＡ社カード７が優先カードとして登録されたことを確認させることができる。
【００３２】
そしてステップＳ１２へと進み、カード認証部１２がＡ社カード７のカード認証を行い、続いてステップＳ１３で支払処理を行い、Ａ社カード７から取引金額分の電子マネーを減額する。そして処理を終了とする。
【００３３】
なお、すでに優先カードであることを示す情報が付与されたＡ社カード７と、Ｂ社カード８の組み合わせのグループが管理サーバ５の記憶部１８に記憶されている場合には、ステップＳ２で演算処理部１５がカードのＩＤ番号と優先カードの登録が行われているか否かの問い合わせを管理サーバ５に対して送信し、ステップＳ３へと進み、管理サーバ５からの回答を待つ状態へと移行すると、管理サーバ５からＡ社カード７のＩＤ番号が送信されてくる。これにより演算処理部１５はＡ社カード７が優先カードであることを認識することができるのでステップＳ４からステップＳ１２へと進み、直ちに優先カードとして登録されているＡ社カード７のカード認証を行い、更に支払い処理を行う。
【００３４】
このように電子マネー端末装置２から同時に送信した複数の非接触式ＩＣカードのＩＤ番号と同一のＩＤ番号の組み合わせが、すでに特定の非接触式ＩＣカードのＩＤ番号に優先カードであることを示す情報が付与された状態で管理サーバ５に登録されている場合には、カードの選択画面無しに自動的に使用するカードが選択されるようになる。
【００３５】
以上本実施例１においては、複数種類の非接触式ＩＣカードのＩＤ番号を１個のグループとして記憶すると共に、各々のグループにおいて、特定の１枚の非接触式ＩＣカードのＩＤ番号には優先カードであることを示す情報を付与した状態で記憶する記憶部１８を管理サーバ５に設け、電子マネー端末装置２が、複数種類の非接触式ＩＣカードを同時に検出した時に、該同時に検出した非接触式ＩＣカードのＩＤ番号と同じ組み合わせの非接触式ＩＣカードのＩＤ番号が管理サーバ５の記憶部１８に記憶されている場合、電子マネー端末装置２は、管理サーバ５の記憶部１８に記憶されている優先カードを示す情報に従って、同時に検出した複数の非接触式ＩＣカードの中から優先カードに該当する非接触式ＩＣカードを選択し、該非接触式ＩＣカードと取引を行うことにより、管理サーバ５の記憶部１８に同一グループとして登録されている非接触式ＩＣカードのＩＤ番号の組み合わせと同一組み合わせの非接触式ＩＣカードのＩＤ番号を電子マネー端末装置２が検出した時に、優先カードであることを示す情報に基づいて使用するカードを電子マネー端末装置２側で自動的に選択するようになる。このように、電子マネー端末装置２が複数種類の非接触式ＩＣカードを検出した場合であっても、電子マネー端末装置２はいずれのカードと取引を行えば良いのか分かる。その結果、取引を行うことができ、また使用者がカードを選択する煩わしさを解消することができる。更に、使用者が使用するカードを選択する必要が無いので、取引時間を短縮することができる。
【実施例２】
【００３６】
次に本発明の実施例２について説明する。なお、電子マネーシステムの構成は実施例１と同様であり、また電子マネー端末装置の構成も上記実施例１と同様である。本実施例２の電子マネーシステムにおいて上記実施例１の電子マネーシステムと異なる点は、管理サーバ５の記憶部１８に、複数種類の非接触式ＩＣカードのＩＤ番号を１個のグループとして記憶すると共に、各々のグループには、複数種類の非接触式ＩＣカードの中から取引を行う特定の１枚の非接触式ＩＣカードを選択するためのパラメータ（条件）を合わせて記憶する点である。
【００３７】
また電子マネー端末装置２の演算処理部１５は、電子マネー端末装置２が、複数種類の非接触式ＩＣカードを同時に検出した時に、該同時に検出した非接触式ＩＣカードのＩＤ番号と同じ組み合わせの非接触式ＩＣカードのＩＤ番号が管理サーバ５の記憶部１８に記憶されている場合、同時に検出した非接触式ＩＣカードと同じ組み合わせの非接触式ＩＣカードのＩＤ番号と共に記憶されているパラメータに従って、取引を行う非接触式ＩＣカードを選択し、該非接触式ＩＣカードと取引を行う制御を行う。
【００３８】
このようにパラメータを登録しておくことで、使用者が優先して使用する非接触式ＩＣカードの選択方法を指定することができる。
【００３９】
なお、その他の構成は上記実施例１と同様であるので説明は省略する。
【００４０】
次に上記構成における電子マネーシステム１の取引動作について図１、図２、図８、図９、図１０を参照し、図１１、図１２、図１３に示すフローチャートに従って説明する。図８、図９、図１０は実施例２の電子マネー端末装置の入力画面を示す説明図、図１１、図１２、図１３は実施例２の電子マネーシステムの取引動作を示すフローチャートである。
【００４１】
図１、図２において、使用者が複数の非接触式ＩＣカード（今回はＣ社カード、及びＤ社カード）が入っている状態のパスケースを電子マネー端末装置２のカード読み書き部１０にかざす。すると、カード読み書き部１０はＣ社カードのＩＤ番号、及びＤ社カードのＩＤ番号を検出し、それぞれのカードのＩＤ番号を演算処理部１５に送信する。演算処理部１５はカード読み書き部１０からカードのＩＤ番号を受信すると、図８に示すフローチャートを開始する。
【００４２】
ステップＳ２０１で演算処理部１５はカード読み書き部１０から送信されてくる情報に基づいて、カード読み書き部１０が２種類以上の非接触式ＩＣカードを検出したか否かを判断する。今回はカード読み書き部１０から２種類のカードのＩＤ番号を受信することになるので、２種類以上の非接触式ＩＣカードを検出したとしてステップＳ２０２へと進む。そして演算処理部１５はＩＤ番号を受信すると１個のグループとして記憶部１３に記憶する。なお、演算処理部１５がカード読み書き部１０から受信したカードのＩＤ番号が１種類の場合は、１種類の非接触式ＩＣカードを検出したと判断し、ステップＳ２０１からステップＳ２１６へと進む。そしてステップＳ２１６で検出した非接触式ＩＣカードのカード認証を行い、続いてステップＳ２１７で検出した非接触式ＩＣカードから取引金額分の電子マネーを減額する、支払い処理を行う。そして処理を終了とする。
【００４３】
ステップＳ２０１からステップＳ２０２へと進んだ場合には、演算処理部１５はパラメータが登録されているか否かの問い合わせと、カード読み書き部１０から受信したカードのＩＤ番号を通信制御部１４、及びネットワーク６を介して管理サーバ５に対して送信する。そしてステップＳ２０３へと進み、管理サーバ５からの回答を待つ状態へと移行する。
【００４４】
管理サーバ５は電子マネー端末装置２からカードのＩＤ番号と、パラメータが登録されているか否かの問い合わせを受信すると、図１１に示すフローチャートを開始する。そしてステップＳ３０１で記憶部１８に記憶されているそれぞれのグループに、今回受信した２種類のＩＤ番号の組み合わせと同一のＩＤ番号の組み合わせのグループが存在するか否かを調べる。そしてステップＳ３０２へと進み、同じ組み合わせのＩＤ番号のグループが登録されていると判断するとステップＳ３０３へと進む。そしてそのグループにおいて設定されているパラメータを読み出し、電子マネー端末装置２に送信する。そして処理を終了とする。一方、ステップＳ３０２において、記憶部１８にＩＤ番号が同一のグループが存在しないと判断した場合にはステップＳ３０４へと進み、パラメータの登録が行われていないことを示す情報を電子マネー端末装置２に送信する。そして処理を終了とする。
【００４５】
電子マネー端末装置２の演算処理部１５はネットワーク６、及び通信制御部１４を介して管理サーバ５からの回答を受信するとステップＳ２０３からステップＳ２０４へと進む。ここで管理サーバ５からパラメータを受信した場合にはステップＳ２１５へと進み、一方、パラメータの登録が行われていないことを示す情報を受信した場合にはステップＳ２０５へと進む。ステップＳ２０４からステップＳ２１５へと進んだ場合、演算処理部１５は受信したパラメータに基づき取引を行う非接触式ＩＣカードを選択し、使用する非接触式ＩＣカードを決定する。そしてステップＳ２１６へと進む。
【００４６】
ステップＳ２０４からステップＳ２０５へと進んだ場合には、演算処理部１５はパラメータを指定するか否かを問い合わせる指示を入力部１１に送信する。入力部１１は指示を受信すると、図８に示すようにパラメータを指定する、あるいはパラメータを指定しないかいずれかを選択させる画面を表示する。
【００４７】
そしてステップＳ２０６へと進み、演算処理部１５は入力部１１から情報が送信されてくるのを待つ状態へと移行する。使用者がパラメータを指定することを示すボタン２３、あるいはパラメータを指定しないことを示すボタン２４のいずれかに触れると、入力部１１からパラメータを指定する、あるいはパラメータを指定しないかのいずれかを示す情報が演算処理部１５に対して送信される。ここで演算処理部１５がパラメータを指定することを示す情報を受信すると、ステップＳ２０６からステップＳ２０７へと進み、一方、演算処理部１５がパラメータを指定しないことを示す情報を受信するとステップＳ２１９へと進む。
【００４８】
ここで使用者がパラメータを指定することを希望し、パラメータを指定することを示すボタン２３に触れ、ステップＳ２０６からステップＳ２０７へと進んだ場合、ステップＳ２０７で演算処理部１５は記憶部１３に予め記憶されている複数個のパラメータ（例えば、残高、カード種別）を読み出し、入力部１１に送信する。入力部１１はパラメータを受信すると、図９に示すように、パラメータと、パラメータを選択することを求める表示を画面に表示する。そしてステップＳ２０８へと進み、演算処理部１５は入力部１１から情報が送信されてくるのを待つ状態へと移行する。
【００４９】
使用者がいずれかのパラメータを示す表示箇所、今回は残高優先ボタン２５、あるいはカード種別優先ボタン２６のいずれかに触れると、入力部１１から触れた箇所に対応する情報が演算処理部１５に対して送信される。演算処理部１５は入力部１１から情報を受信するとステップＳ２０８からステップＳ２０９へと進み、受信した情報に基づき選択されたパラメータの種類を認識する。そして記憶部１３に記憶されている、ステップＳ２０１で検出された複数の非接触式ＩＣカードのＩＤ番号の組み合わせに対して設定されるパラメータとして、該パラメータを前記同時に検出した全ての非接触式ＩＣカードのＩＤ番号と共に記憶する。
【００５０】
次にステップＳ２１０で演算処理部１５は今回選択したパラメータを登録するか否かを問い合わせる画面を表示させる指示を入力部１１に送信する。入力部１１は指示を受信すると、図１０に示すようにパラメータを登録するか否かを選択させる画面を表示する。
【００５１】
そしてステップＳ２１１へと進み、演算処理部１５は入力部１１から情報が送信されてくるのを待つ状態へと移行する。ここで、使用者がパラメータを登録することを示すボタン２７、あるいはパラメータを登録しないことを示すボタン２８のいずれかに触れると、入力部１１から「パラメータを登録する」、あるいは「パラメータを登録しない」のいずれかを示す情報が演算処理部１５に対して送信される。演算処理部１５は入力部１１から「登録する」を示す情報を受信するとステップＳ２１２へと進む。一方「登録しない」を示す情報を受信すると、演算処理部１５はステップＳ２１５へと進み、ステップＳ２０９で記憶部１３に記憶されたパラメータに基づき取引を行う非接触式ＩＣカードを選択し、使用する非接触式ＩＣカードを決定する。そしてステップＳ２１６へと進む。
【００５２】
ここで使用者がパラメータを登録することを示すボタン２７に触れ、ステップＳ２１１からステップＳ２１２へと進んだ場合、演算処理部１５は記憶部１３から、パラメータと、該パラメータと共に記憶されているＩＤ番号を読み出し、通信制御部１４、及びネットワーク６を介して管理サーバ５に対して送信する。そしてステップＳ２１３へと進み、管理サーバ５からの回答を待つ状態へと移行する。
【００５３】
管理サーバ５は電子マネー端末装置２からパラメータとＩＤ番号を受信すると、図１３に示すフローチャートを開始する。そしてステップＳ３１１で受信したパラメータとＩＤ番号の組み合わせで１個のグループを作り、記憶部１８に記憶する。そしてステップＳ３１２で登録したパラメータとＩＤ番号、及び登録が完了したことを示す情報を電子マネー端末装置２に送信する。そして処理を終了とする。
【００５４】
電子マネー端末装置２の演算処理部１５はネットワーク６、及び通信制御部１４を介して管理サーバ５から、パラメータとＩＤ番号、及び登録が完了したことを示す情報を受信すると、ステップＳ２１３からステップＳ２１４へと進む。そして演算処理部１５はカードのＩＤ番号からカード名（Ｃ社カード、及びＤ社カード）を認識し、該カード名を示す情報と、パラメータと、パラメータの登録が行われたことを表示する指示を表示部９に送信する。表示部９はカード名とパラメータと指示を受信すると、Ｃ社カードのカード名、及びＤ社のカード名と、この組み合わせのカードにおいて、特定のパラメータに従ってカードの選択が行われることを示す情報を表示する。これにより、使用者にＣ社カードとＤ社カードの組み合わせを検出した場合の、使用するカードの優先順位を決めるパラメータを確認させることができる。
【００５５】
次にステップＳ２１５で演算処理部１５は設定されたパラメータに従い、使用するカードを決定する。例えば設定されたパラメータが「残高」であった場合、Ｃ社カード、あるいはＤ社カードいずれか残高の多い方のカード（今回はＣ社カードとする）が使用するカードとして決定される。そしてステップＳ２１６でカード認証部１２がＣ社カードのカード認証を行い、続いてステップＳ２１７で支払処理を行い、Ｃ社カードから取引金額分の電子マネーを減額する。そして処理を終了とする。
【００５６】
なお、ステップＳ２０６からステップＳ２１９へと進んだ場合には、演算処理部１５は記憶部１３に記憶してあるＩＤ番号を読み出し、該ＩＤ番号からカード名（Ｃ社カード、及びＤ社カード）を認識し、カード選択画面を表示させる指示と、カード名を示す情報を入力部１１に送信する。入力部１１は指示とカード名を受信すると、Ｃ社カード、あるいはＤ社カードのいずれかを選択させる画面を表示する。
【００５７】
そしてステップＳ２２０へと進み、演算処理部１５は入力部１１から情報が送信されてくるのを待つ状態へと移行する。ここで、使用者がカードを選択してＣ社カードボタン、あるいはＤ社カードボタンのいずれかに触れると、入力部１１からＣ社カード、あるいはＤ社カードのいずれかを示す情報が演算処理部１５に対して送信される。演算処理部１５はいずれかのカードを示す情報を受信すると、ステップＳ２２０からステップＳ２１５へと進み、受信した情報から指定されたカードを決定する。そしてステップＳ２１６へと進み、指定されたカードのカード認証を行い、ステップＳ２１７で支払い処理を行う。そして処理を終了とする。
【００５８】
なお、同時に検出したカードの組み合わせに対するパラメータが、既に管理サーバ５の記憶部１８に記憶されている場合には、ステップＳ２０２で演算処理部１５がカードのＩＤ番号とパラメータの登録が行われているか否かの問い合わせを管理サーバ５に対して送信し、ステップＳ２０３へと進み、管理サーバ５からの回答を待つ状態へと移行すると、管理サーバ５からパラメータが送信されてくる。これにより演算処理部１５はパラメータを認識することができるのでステップＳ２０４からステップＳ２１５へと進み、直ちにパラメータに従ったカードの選択を行い、更にカード認証、及び支払い処理へと進む。
【００５９】
このように電子マネー端末装置２から同時に送信した複数のＩＤ番号と同一のＩＤ番号の組み合わせに対するパラメータが、すでに管理サーバ５に登録されている場合には、パラメータに従って自動的に使用するカードが選択されるようになる。
【００６０】
以上本実施例２においては、複数種類の非接触式ＩＣカードのＩＤ番号を１個のグループとして記憶すると共に、各々のグループには、複数種類の非接触式ＩＣカードの中から取引を行う特定の１枚の非接触式ＩＣカードを選択するためのパラメータを合わせて記憶する記憶部１８を管理サーバ５に設け、電子マネー端末装置２が、複数種類の非接触式ＩＣカードを同時に検出した時に、該同時に検出した非接触式ＩＣカードのＩＤ番号と同じ組み合わせの非接触式ＩＣカードのＩＤ番号が管理サーバ５の記憶部１８に記憶されている場合、電子マネー端末装置２は、同時に検出した非接触式ＩＣカードのＩＤ番号と同じ組み合わせの非接触式ＩＣカードのＩＤ番号と共に記憶されているパラメータに従って、取引を行う非接触式ＩＣカードを選択し、該非接触式ＩＣカードと取引を行うことにより、管理サーバ５に同一グループとして登録されている非接触式ＩＣカードのＩＤ番号の組み合わせと同一組み合わせの非接触式ＩＣカードのＩＤ番号を電子マネー端末装置２が検出した時に、特定のパラメータに従って使用するカードを電子マネー端末装置２側で自動的に選択するようになる。このように、パラメータを登録することで、取引に使用するカードを使用者の希望するパラメータに基づいて自動的に選択することができる。
【実施例３】
【００６１】
次に本発明の実施例３について説明する。なお、電子マネーシステムの構成は実施例１、及び実施例２と同様であり、また電子マネー端末装置の構成も上記実施例１、及び実施例２と同様である。本実施例３の電子マネーシステムにおいては、電子マネー端末装置１の演算処理部１５が、実施例１、あるいは実施例２の機能に加えて更に、優先カードに指定された非接触式ＩＣカード、あるいはパラメータに従って選択された非接触式ＩＣカードに格納されている電子マネーの金額が、取引金額未満である場合、優先カードの指定、あるいはパラメータに関わらず、同時に検出した非接触式ＩＣカードの中から残高が取引金額以上の非接触式ＩＣカードを選択し、該非接触式ＩＣカードから取引金額分の電子マネーを減額する制御を行う。更に、演算処理部１５は、同時に検出した非接触式ＩＣカードの中に残高が取引金額以上のカードが存在しない場合には、同時に検出した複数の非接触式ＩＣカード間で残高を移行し、いずれかの非接触式ＩＣカードの残高を取引金額以上とし、該非接触式ＩＣカードから取引金額分の電子マネーを減額する制御を行う。
【００６２】
そしてこれにより、各々のカード残高では取引金額を下回っている場合であっても、合計金額では取引金額を上回っている場合に、非接触式ＩＣカードに不足金額をチャージすることなく、自動で残高のやり取りを行い、取引を可能とすることができる。
【００６３】
なお、その他の構成は上記実施例１、及び実施例２と同様であるので説明は省略する。
【００６４】
次に本実施例における電子マネー端末装置１の取引動作について図１４を参照し、図１５、図１６に示すフローチャートに従って説明する。図１４は実施例３の電子マネー端末装置の表示画面を示す説明図、図１５、図１６は実施例３の電子マネー端末装置の取引動作を示すフローチャートである。なお、本フローチャートは、実施例１、及び実施例２において、選択された非接触式ＩＣカードの残高が取引を行うには不足している場合に開始される。すなわち実施例１においては、ステップＳ１３で演算処理部１５が取引を行う時に残高が不足していると判断した場合に、図１５に示すフローチャートが開始される。また、実施例２においては、ステップＳ２１７で演算処理部１５が取引を行う時に残高が不足していると判断した場合に、図１５に示すフローチャートの処理が開始される。
【００６５】
ステップＳ４０１で演算処理部１５は、表示部９に非接触式ＩＣカードをカード読み書き部１０にかざすことを表示させて、読み書き部１０を介して同時に検出した全ての非接触式ＩＣカードの残高を確認し、カード別に記憶部１３に記憶する。次にステップＳ４０２で演算処理部１５は記憶部１３に記憶した情報に基づき利用金額、すなわち取引金額以上の残高を有する非接触式ＩＣカードが存在するか否かを判断する。そして取引金額以上の残高を有する非接触式ＩＣカードが存在すると判断した場合にはステップＳ４０３へと進み、一方、取引金額以上の残高を有する非接触式ＩＣカードが存在しないと判断した場合にはステップＳ４１０へと進む。
【００６６】
ここで取引金額以上の残高を有する非接触式ＩＣカードが存在し、ステップＳ４０３へと進んだ場合、演算処理部１５は記憶部１３の情報から取引金額以上の残高を有する非接触式ＩＣカードを選択する。次にステップＳ４０４で演算処理部１５は取引金額以上の残高を有する非接触式ＩＣカードが２種類以上存在するか否かを判断する。
【００６７】
そして取引金額以上の残高を有する非接触式ＩＣカードが２種類以上存在すると判断した場合にはステップＳ４０５へと進み、一方、取引金額以上の残高を有する非接触式ＩＣカードが１種類しか存在しないと判断した場合には、ステップＳ４０７へと進む。ここで演算処理部１５が２種類以上の非接触式ＩＣカードが存在すると判断し、ステップＳ４０５へと進んだ場合、演算処理部１５は取引金額以上の残高を有する非接触式ＩＣカードのＩＤ番号からカード名（今回はＥ社カードとＦ社カードとする）を認識し、カード選択画面を表示させる指示と、カード名を示す情報を入力部１１に送信する。入力部１１は指示とカード名を受信すると、Ｅ社カード、あるいはＦ社カードのいずれかを選択させる画面を表示する。
【００６８】
そしてステップＳ４０６へと進み、演算処理部１５は入力部１１から情報が送信されてくるのを待つ状態へと移行する。ここで、使用者がカードを選択してＥ社カードボタン、あるいはＦ社カードボタンのいずれかに触れると、入力部１１からＥ社カード、あるいはＦ社カードのいずれかを示す情報が演算処理部１５に対して送信される。演算処理部１５はいずれかのカードを示す情報を受信すると、ステップＳ４０７へと進み、受信した情報から取引金額分の電子マネーを減額するカードを決定する。なお、今回はＥ社カードが選択されたものとする。
【００６９】
そしてステップＳ４０８でカード認証部１２がＥ社カードのカード認証を行い、続いてステップＳ４０９で支払い処理を行い、Ｅ社カードから取引金額分の電子マネーを減額する。そして処理を終了する。なお、ステップＳ４０４で演算処理部１５が取引金額以上の残高を有する非接触式ＩＣカードが１種類しか存在しないと判断した場合には、ステップＳ４９７へと進み、その非接触式ＩＣカードが取引金額分の電子マネーを減額するカードとして決定される。そしてステップＳ４０８へと進む。
【００７０】
一方、例えばカード使用者の取引金額が六千円であり、電子マネー端末装置２が検出した非接触式ＩＣカードが残高がそれぞれ五千円のＧ社カード、三千円のＨ社カードであるとすると、ステップＳ４０２からステップＳ４１０へと進むことになる。そしてステップＳ４１０で演算処理部１５はステップＳ４０１で残高が確認された、全ての非接触式ＩＣカードの残高を合計する。これにより八千円となる。そしてステップＳ４１１で取引金額（六千円）とカード残高の合計金額（八千円）とを比較する。
【００７１】
ここで演算処理部１５は残高の合計金額が取引金額以上であると判断するのでステップＳ４１２へと進み、特定のカードにその他のカードの残高を移行する処理を行う。なお、特定のカードの選択は、上記ステップＳ４０５と同様に入力部１１にカードの選択を求める画面を表示させて使用者に選択させても良いし、あるいは残高の最も多いカードであっても良いし、更には優先カードとして特定されたカードであっても良い。このようにして選択された特定の非接触式ＩＣカードにその他の非接触式ＩＣカードから残高が移行される。
【００７２】
また特定の非接触式ＩＣカードに移行させるその他の非接触式ＩＣカードからの残高は、特定の非接触式ＩＣカード以外のカードの残高全てであってもいいし、あるいは、特定の非接触式ＩＣカードの残高が取引金額と同じ金額となる金額だけ移行させてもよい。
【００７３】
なお、今回は特定のカードとして残高の最も多いカードを選択するものとし、また特定のカードと指定された以外のカードの残高全てが、特定のカードと指定されたカードに移行することにする。従って、今回は特定のカードとしてＧ社カードが選択され、Ｈ社カードの残高は全てＧ社カードに移行し、Ｈ社カードの残高は０円となる。
【００７４】
このように残高を移行することによりＧ社カードの残高は八千円となり取引金額を上回ることになる。従ってステップＳ４１３でカード認証部１２がＧ社カードのカード認証を行い、続いてステップＳ４１４で演算処理部１５はＧ社カードから取引金額分の電子マネーを減額する、支払い処理を行う。そして処理を終了とする。なお、支払い処理後にはＧ社カードの残高は二千円、Ｈ社カードの残高は０円となる。
【００７５】
なお、上記ステップＳ４１１において、カード残高の合計金額が取引金額未満であると判断した場合にはステップＳ４１５へと進み、演算処理部１５は残高不足であり、取引を停止することを示す画面を表示させる指示を表示部９に送信する。表示部９は指示を受信すると、図１４に示すように残高不足であることと、取引を停止することを示す画面を表示する。そして処理を終了とする。
【００７６】
以上本実施例３においては、優先カードに指定された非接触式ＩＣカード、あるいはパラメータに従って選択された非接触式ＩＣカードに格納されている電子マネーの金額が、取引金額未満である場合、優先カードの指定、あるいはパラメータに関わらず、同時に検出した非接触式ＩＣカードの中から残高が取引金額以上の非接触式ＩＣカードを選択し、該非接触式ＩＣカードから取引金額分の電子マネーを減額する。更に、同時に検出した非接触式ＩＣカードの中に残高が取引金額以上のカードが存在しない場合には、同時に検出した複数の非接触式ＩＣカード間で残高を移行し、いずれかの非接触式ＩＣカードの残高を取引金額以上とし、該非接触式ＩＣカードから取引金額分の電子マネーを減額する。これにより、カードに不足金額をチャージすることなく、取引可能状態とすることができる。従って、使用者の利便性を向上させることができ、負担を軽減することができる。その結果、使用者へのサービスを向上させることができる。
【図面の簡単な説明】
【００７７】
【図１】実施例１の電子マネーシステムの構成を示す説明図である。
【図２】実施例１の電子マネー端末装置の構成を示すブロック図である。
【図３】実施例１の電子マネー端末装置の入力画面を示す説明図である。
【図４】実施例１の電子マネー端末装置の入力画面を示す説明図である。
【図５】実施例１の電子マネーシステムの取引動作を示すフローチャートである。
【図６】実施例１の電子マネーシステムの取引動作を示すフローチャートである。
【図７】実施例１の電子マネーシステムの取引動作を示すフローチャートである。
【図８】実施例２の電子マネー端末装置の入力画面を示す説明図である。
【図９】実施例２の電子マネー端末装置の入力画面を示す説明図である。
【図１０】実施例２の電子マネー端末装置の入力画面を示す説明図である。
【図１１】実施例２の電子マネーシステムの取引動作を示すフローチャートである。
【図１２】実施例２の電子マネーシステムの取引動作を示すフローチャートである。
【図１３】実施例２の電子マネーシステムの取引動作を示すフローチャートである。
【図１４】実施例３の電子マネー端末装置の表示画面を示す説明図である。
【図１５】実施例３の電子マネー端末装置の取引動作を示すフローチャートである。
【図１６】実施例３の電子マネー端末装置の取引動作を示すフローチャートである。
【符号の説明】
【００７８】
１  電子マネーシステム
２  電子マネー端末装置
５  非接触式ＩＣカード管理サーバ
１１  入力部
１５  演算処理部
１８  記憶部
【図１】
2008158835.tif 000003
【図２】
2008158835.tif 000004
【図３】
2008158835.tif 000005
【図４】
2008158835.tif 000006
【図５】
2008158835.tif 000007
【図６】
2008158835.tif 000008
【図７】
2008158835.tif 000009
【図８】
2008158835.tif 000010
【図９】
2008158835.tif 000011
【図１０】
2008158835.tif 000012
【図１１】
2008158835.tif 000013
【図１２】
2008158835.tif 000014
【図１３】
2008158835.tif 000015
【図１４】
2008158835.tif 000016
【図１５】
2008158835.tif 000017
【図１６】
2008158835.tif 000018